(57)【要約】【課題】主に各種電子機器の遠隔操作に用いられるリモコン送信機に関し、簡易な構成で、安価なものを提供することを目的とする。【解決手段】タッチセンサ３２を導電金属線で形成すると共に、これを下ケース３０内側面に弾接させることによって、タッチセンサ３２を配線基板２５に接続するためのコネクタ等が不要となり、構成部品数が少なくなると共に、組立ても容易に行え、安価で確実な検出が可能なリモコン送信機３５を得ることができる。【選択図】図１
2011171953.tif 000002
【特許請求の範囲】
【請求項１】
ケース上面の開口部に装着されたカバーと、このカバー下方に配置された静電パネルと、この静電パネルの操作に応じて、送信手段からリモコン信号を送信する制御手段と、上記ケース内側面に配設されたタッチセンサからなり、上記タッチセンサを導電金属線で形成すると共に、これをケース内側面に弾接させたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやディスクプレーヤ等の各種電子機器の高機能化が進むなか、これらを遠隔操作するリモコン送信機においても、安価で確実な操作を行えるものが求められている。
【０００３】
このような従来のリモコン送信機について、図４〜図８を用いて説明する。
【０００４】
なお、これらの図面は構成を判り易くするために、部分的に寸法を拡大して表している。
【０００５】
図６は従来のリモコン送信機の断面図、図７は同分解斜視図であり、同図において、１は絶縁樹脂製の上ケース、２は同じくカバーで、上ケース１上面の複数の開口部１Ａに、複数のカバー２が上下動可能に装着されている。
【０００６】
また、３は静電パネルで、上面または上下面に複数の電極が所定の間隙を設けて直交方向に配列されると共に、複数の静電パネル３がカバー２下面に各々装着されている。
【０００７】
そして、４はゴム等の操作体で、上面には上方へ略ドーム状に突出する複数の押圧部４Ａが設けられると共に、この押圧部４Ａ上面に静電タッチパネル３下面が当接している。
【０００８】
さらに、５は上下面に複数の配線パターン（図示せず）が形成された配線基板、６はプッシュスイッチ等のスイッチ接点で、複数のスイッチ接点６が配線基板５上面に実装されると共に、配線基板５上面を操作体４が覆い、スイッチ接点６が押圧部４Ａ内に収納されている。
【０００９】
そして、７は複数の配線パターン（図示せず）が形成されたフレキ基板、８はコネクタで、複数のフレキ基板７やコネクタ８によって、複数の静電パネル３が配線基板５の配線パターンに接続されている。
【００１０】
また、配線基板５の上下面には、アンテナ等のリモコン信号を送信する送信手段９や、マイコン等の制御手段１０が形成されると共に、上ケース１下面を絶縁樹脂製の下ケース１１が覆い、絶縁樹脂製の蓋体１２に覆われた下ケース１１下面には電池（図示せず）が収納される。
【００１１】
さらに、１３はタッチセンサで、図８の部分斜視図に示すように、フィルム状の基材１３Ａ表面に銅等の複数のセンサ部１３Ｂが形成されると共に、このセンサ部１３Ｂ端部からは複数の配線パターン（図示せず）が舌片部１３Ｃに延出し、裏面には銅等によってほぼ全面にグランド部１３Ｄが形成されている。
【００１２】
そして、この複数のタッチセンサ１３の舌片部１３Ｃが配線基板５左右のコネクタ１４に挿入されて、複数のセンサ部１３Ｂが配線基板５の配線パターンに接続されると共に、複数のセンサ部１３Ｂが両面テープ等の接着剤１５によって、下ケース１１下方の左右内側面に貼付されている。
【００１３】
また、タッチセンサ１３の複数のセンサ部１３Ｂや静電パネル３、スイッチ接点６、送信手段９が配線基板５の配線パターンを介して、制御手段１０に接続されて、リモコン送信機１６が構成されている。
【００１４】
以上の構成において、図４の正面図に示すように、遠隔操作するテレビ等の電子機器４０の表示画面４１に複数のメニュー、例えば複数のキー４２が表示された状態で、例えばリモコン送信機１６のカバー２上面左方の所定箇所に指を触れると、この指に静電パネル３の電荷の一部が導電し、操作した箇所の電極の容量が変化するため、これによって静電パネル３のどの箇所に指が触れたのかを制御手段１０が検出する。
【００１５】
そして、この指の接触位置に応じたリモコン信号を、制御手段１０が送信手段９から機器へ電波として送信し、これを電子機器４０が受信すると、静電パネル３への指の接触位置に対応した、例えば、表示画面４１に表示された「Ａ」のキー４２Ａがカーソル表示される。
【００１６】
また、このままの位置でカバー２上面を押圧操作すると、カバー２や静電パネル３が下方へ移動し、押圧部４Ａが撓んでスイッチ接点６の電気的接離が行われ、これを制御手段１０が検出して、上記とは異なるリモコン信号が送信され、例えば表示画面４１下方の入力部４１Ａに「Ａ」が表示されて、文字の選択が確定する。
【００１７】
つまり、リモコン送信機１６のカバー２上面に指を触れ、これを移動して接触操作することによって、表示画面４１に表示された文字等のメニューの選択を行うと共に、カバー２上面を押圧し、この下方のスイッチ接点６を押圧操作することによって、文字等のメニューの確定や入力等を、遠隔操作によって行うことができるように構成されている。
【００１８】
さらに、図５の正面図に示すように、リモコン送信機１６を手で持つと、この手や指に、下ケース１１の左右内側面に貼付されたタッチセンサ１３の電荷の一部が導電し、手や指が触れた箇所のセンサ部１３Ｂの容量が変化するため、これによってリモコン送信機１６が手で持たれたことを制御手段１０が検出し、例えば電池の消耗を防ぐために、操作されていない間は電源が切られている静電パネル３に電源が供給される。
【００１９】
あるいは、左右のタッチセンサ１３の容量が変化したセンサ部１３Ｂの数によって、左右いずれの手で持たれたのかを制御手段１０が検出して、所定のリモコン信号が送信され、例えば表示画面４１の表示が、左手操作用や右手操作用等に切換わる。
【００２０】
すなわち、上述した静電パネル３やスイッチ接点６による遠隔操作に加え、下ケース１１の左右内側面に貼付された複数のタッチセンサ１３によって、リモコン送信機１６が手で持たれたことや、左右いずれの手で持たれたのか等を検出して、リモコン送信機１６や電子機器４０の様々な機能の切換えが行えるように構成されているものであった。
【００２１】
なお、この出願の発明に関連する先行技術文献情報としては、例えば、特許文献１が知られている。
【先行技術文献】
【特許文献】
【００２２】
【特許文献１】特開２００９−３３５９６号公報
【発明の概要】
【発明が解決しようとする課題】
【００２３】
しかしながら、上記従来のリモコン送信機においては、表面に複数のセンサ部１３Ｂが形成され、裏面にグランド部１３Ｄが形成されたタッチセンサ１３を、複数のコネクタ１４を用いて配線基板５の配線パターンに接続すると共に、接着剤１５によって下ケース１１の左右内側面に貼付しているため、構成部品数が多くなると共に、組立てにも手間がかかり、高価なものになってしまうという課題があった。
【００２４】
本発明は、このような従来の課題を解決するものであり、簡易な構成で、安価なリモコン送信機を提供することを目的とする。
【課題を解決するための手段】
【００２５】
上記目的を達成するために本発明は、ケース内側面に配設されたタッチセンサを導電金属線で形成すると共に、これをケース内側面に弾接させてリモコン送信機を構成したものであり、タッチセンサを配線基板に接続するためのコネクタ等が不要となり、構成部品数が少なくなると共に、タッチセンサをケース内側面に弾接させることで、組立ても容易に行え、安価で確実な検出が可能なリモコン送信機を得ることができるという作用を有するものである。
【発明の効果】
【００２６】
以上のように本発明によれば、簡易な構成で、安価なリモコン送信機を実現できるという有利な効果が得られる。
【図面の簡単な説明】
【００２７】
【図１】本発明の一実施の形態によるリモコン送信機の断面図
【図２】同分解斜視図
【図３】同部分斜視図
【図４】電子機器の正面図
【図５】リモコン送信機の正面図
【図６】従来のリモコン送信機の断面図
【図７】同分解斜視図
【図８】同部分斜視図
【発明を実施するための形態】
【００２８】
以下、本発明の実施の形態について、図１〜図５を用いて説明する。
【００２９】
なお、これらの図面は構成を判り易くするために、部分的に寸法を拡大して表している。
【００３０】
（実施の形態）
図１は本発明の一実施の形態によるリモコン送信機の断面図、図２は同分解斜視図であり、同図において、２１はポリスチレンやＡＢＳ等の絶縁樹脂製の上ケース、２２は同じくカバーで、上ケース２１上面の複数の開口部２１Ａに複数のカバー２２が、外方端部の支点部２２Ａを支点として、揺動可能に装着されている。
【００３１】
また、２３は静電パネルで、ガラス入りエポキシ等の基材に、略方形状が連結された略帯状で銅箔等の複数の電極が、所定の間隙を設けて直交方向に配列されて積層形成されると共に、複数の静電パネル２３がカバー２２下面に各々装着されている。
【００３２】
そして、２４はシリコーンゴムやエラストマー等の操作体で、上面に形成された略額縁状の複数の枠部２４Ａ上に、カバー２２と静電パネル２３が載置されている。
【００３３】
また、２５はガラス入りエポキシ等の配線基板で、上下面には銅箔等によって複数の配線パターン（図示せず）が形成されると共に、上面中間部にはカーボン等の複数の固定接点（図示せず）が設けられ、この上に載置された略ドーム状で銅合金等の可動接点（図示せず）によって、複数のスイッチ接点２６が形成されている。
【００３４】
さらに、この配線基板２５上面を操作体２４が覆うと共に、スイッチ接点２６中央上方の操作体２４上面には、カバー２２の内方端部に形成された押圧部（図示せず）が当接している。
【００３５】
そして、２７は弾性接続体で、シリコーンゴム等にカーボン等を分散した導電層と、シリコーンゴム等の絶縁層が所定間隔で横方向に積層されて形成されると共に、この弾性接続体２７が上下方向にやや撓んだ状態で、支点部２２Ａ近傍の静電パネル２３下面と配線基板２５上面の間に弾接装着されることで、静電パネル２３の複数の電極が、配線基板２５両端の配線パターンに電気的に接続されている。
【００３６】
また、配線基板２５の上下面には、アンテナ等のリモコン信号を送信する送信手段２８や、マイコン等の制御手段２９が形成されると共に、上ケース２１下面をポリスチレンやＡＢＳ等の絶縁樹脂製の下ケース３０が覆い、絶縁樹脂製の蓋体３１に覆われた下ケース３０下面には電池（図示せず）が収納される。
【００３７】
さらに、３２はタッチセンサで、鋼や銅合金等の導電金属線から形成されると共に、図３の部分斜視図に示すように、略渦巻状に巻回された複数のセンサ部３２Ａが、略コの字状のアーム部３２Ｂによって連結され、このアーム部３２Ｂの中間部は半田付け等によって、配線基板２５裏面の配線パターンに接続されている。
【００３８】
また、３３は同じく鋼や銅合金等の導電金属線製のグランド体で、タッチセンサ３２とは所定の間隙を空けて、これを囲むような形状に形成されると共に、グランド体３３の両端が、配線基板２５裏面のほぼ全面に略格子状に形成された、銅箔等のグランドパターン３４に半田付け等によって接続されている。
【００３９】
そして、この複数のタッチセンサ３２とグランド体３３がやや撓んだ状態で、複数のセンサ部３２Ａが下ケース３０下方の左右内側面に弾接すると共に、複数のタッチセンサ３２や静電パネル２３、スイッチ接点２６、送信手段２８が配線パターンを介して、制御手段２９に接続されてリモコン送信機３５が構成されている。
【００４０】
以上の構成において、図４の正面図に示すように、遠隔操作するテレビ等の電子機器４０の表示画面４１に複数のメニュー、例えば複数のキー４２が表示された状態で、リモコン送信機３５のカバー２２上面左方の所定箇所に、例えば左手の指を触れると、この指に静電パネル２３の電荷の一部が導電し、操作した箇所の電極の容量が変化するため、これによって静電パネル２３のどの箇所に指が触れたのかを制御手段２９が検出する。
【００４１】
そして、この指の接触位置に応じたリモコン信号を、制御手段２９が送信手段２８から機器へ電波として送信し、これを電子機器４０が受信すると、静電パネル２３への指の接触位置に対応した、例えば、表示画面４１に表示された「Ａ」のキー４２Ａがカーソル表示される。
【００４２】
また、このままの位置でカバー２２上面を押圧操作すると、外方端部の支点部２２Ａを支点として、カバー２２が下方へ揺動し、カバー２２内方端部の押圧部が、操作体２４を介してスイッチ接点２６の可動接点を押圧し、スイッチ接点２６の電気的接離が行われる。
【００４３】
そして、このスイッチ接点２６の電気的接離を制御手段２９が検出して、上記とは異なるリモコン信号が送信され、例えば表示画面４１下方の入力部４１Ａに「Ａ」が表示されて、文字の選択が確定する。
【００４４】
さらに、右手の指でカバー２２上面右方の別の箇所に触れると、同じく制御手段２９が静電パネル２３の容量変化によってその接触位置を検出し、リモコン信号が送信手段２８から送信されて、表示画面４１の「Ｂ」のキー４２Ｂがカーソル表示され、そのままカバー２２上面を押圧操作すると、この下方のスイッチ接点２６の電気的接離が行われリモコン信号が送信されて、入力部４１Ａに「Ａ」に並んで「Ｂ」の文字が表示される。
【００４５】
なお、この時、「Ｂ」ではなく「Ｎ」や「Ｈ」の文字を選びたい場合には、カバー２２上面に触れたまま指を右方や上方へ移動すると、この接触箇所を制御手段２９が検出してリモコン信号が送信されて、表示画面４１の「Ｎ」や「Ｈ」のキーがカーソル表示され、この後、カバー２２上面を押圧操作すると、これらの文字が入力部４１Ａに表示される。
【００４６】
つまり、リモコン送信機３５のカバー２２上面に指を触れ、これを移動して接触操作することによって、表示画面４１に表示された文字等のメニューの選択を行うと共に、カバー２２上面を押圧し、この下方のスイッチ接点２６を押圧操作することによって、文字等のメニューの確定や入力等を、遠隔操作によって行うことができるように構成されている。
【００４７】
さらに、図５の正面図に示すように、リモコン送信機３５を手で持つと、この手や指に、下ケース３０の左右内側面に弾接したタッチセンサ３２の電荷の一部が導電し、手や指が触れた箇所のセンサ部３２Ａの容量が変化するため、これによってリモコン送信機３５が手で持たれたことを制御手段２９が検出し、例えば電池の消耗を防ぐために、操作されていない間は電源が切られている静電パネル２３に電源が供給される。
【００４８】
あるいは、左右のタッチセンサ３２の容量が変化したセンサ部３２Ａの数によって、例えば図５に示すように、左手で持たれた場合には、左側のセンサ部３２Ａの数が多く、右側の数は少ないことから、左右いずれの手で持たれたのかを制御手段２９が検出して、所定のリモコン信号が送信手段２８から機器へ電波として送信され、例えば表示画面４１の表示が、左手操作用や右手操作用等に切換わる。
【００４９】
すなわち、上述した静電パネル２３やスイッチ接点２６による遠隔操作に加え、下ケース３０の左右内側面に弾接した複数のタッチセンサ３２によって、リモコン送信機３５が手で持たれたことや、左右いずれの手で持たれたのか等を検出して、リモコン送信機３５や電子機器４０の様々な機能の切換えが行えるように構成されている。
【００５０】
そして、このようなタッチセンサ３２を導電金属線から形成することによって、コイルばね等を製作する場合と同様のフォーミング加工等を用いて、比較的簡易にタッチセンサ３２の製作が行えると共に、複数のセンサ部３２Ａを連結するアーム部３２Ｂの中間部を、半田付け等によって配線基板２５に接続することで、タッチセンサ３２を配線基板２５に接続するためのコネクタ等も不要となるため、構成部品数を減らし、リモコン送信機３５を安価に形成できるようになっている。
【００５１】
また、このタッチセンサ３２をやや撓めた状態で上ケース２１と下ケース３０の組立てを行い、複数のタッチセンサ３２のセンサ部３２Ａを、下ケース３０の左右内側面に弾接させることによって、タッチセンサ３２を下ケース３０に貼付するための接着剤等も不要となり、組立ても容易に行えると共に、下ケース３０を介した手による容量変化の検出も確実に行うことができるように構成されている。
【００５２】
さらに、このタッチセンサ３２を囲むように所定の間隙を空けて、タッチセンサ３２近傍にグランド体３３を設けると共に、これを配線基板２５のほぼ全面に略格子状に形成された、面積の大きなグランドパターン３４に接続することで、電磁波等のノイズを防ぎ、タッチセンサ３２の誤差のない検出が行えるようになっている。
【００５３】
そして、上述したように、カバー２２を押圧操作した際には、カバー２２が外方端部の支点部２２Ａを支点として揺動することによって、カバー２２中央を押圧した場合でも、あるいは端部を押圧した場合でも、スイッチ接点２６の確実な電気的接離を行うことができる。
【００５４】
つまり、カバー２２が上ケース２１に対して上下動ではなく、外方端部の支点部２２Ａを支点として揺動可能に形成されているため、カバー２２上面のどの箇所を押圧しても、内方端部の押圧部がスイッチ接点２６を常に垂直に押圧して、確実な電気的接離が行えるように構成されている。
【００５５】
また、このようにカバー２２を上下動ではなく、支点部２２Ａを支点として揺動可能に形成することで、揺動操作した際に、カバー２２の揺動量が殆どない支点部２２Ａ近傍に弾性接続体２７を装着し、これによって静電パネル２３を配線基板２５の配線パターンに電気的に接続することも可能となる。
【００５６】
すなわち、静電パネル２３と配線基板２５を接続するための、複数のフレキ基板やコネクタ等が不要となり、弾性接続体２７だけで静電パネル２３を配線基板２５に接続できるため、さらに簡易な構成で、安価にリモコン送信機３５を形成することが可能なようになっている。
【００５７】
なお、以上の説明では、タッチセンサ３２の複数のセンサ部３２Ａを、下ケース３０の左右内側面に弾接させた構成について説明したが、上ケース２１や下ケース３０の形状や大きさに応じ、タッチセンサ３２を上ケース２１の左右内側面に弾接させた構成や、あるいは上ケース２１と下ケース３０を一体に形成した構成としても、本発明の実施は可能である。
【００５８】
このように本実施の形態によれば、タッチセンサ３２を導電金属線で形成すると共に、これを上ケース２１や下ケース３０の内側面に弾接させることによって、タッチセンサ３２を配線基板２５に接続するためのコネクタ等が不要となり、構成部品数が少なくなると共に、組立ても容易に行え、安価で確実な検出が可能なリモコン送信機３５を得ることができるものである。
【００５９】
なお、以上の説明では、配線基板２５上面の固定接点に略ドーム状の可動接点を載置して、スイッチ接点２６を形成した構成について説明したが、固定接点上方に下面に可動接点が形成されたゴム等の押釦を対向させた構成や、あるいは、配線基板２５上面に単品のプッシュスイッチを実装した構成等、様々なスイッチ接点を用いた構成としても、本発明の実施は可能である。
【産業上の利用可能性】
【００６０】
本発明によるリモコン送信機は、簡易な構成で、安価なものが得られ、主に各種電子機器の遠隔操作用として有用である。
【符号の説明】
【００６１】
２１  上ケース
２１Ａ  開口部
２２  カバー
２２Ａ  支点部
２３  静電パネル
２４  操作体
２４Ａ  枠部
２５  配線基板
２６  スイッチ接点
２７  弾性接続体
２８  送信手段
２９  制御手段
３０  下ケース
３１  蓋体
３２  タッチセンサ
３２Ａ  センサ部
３２Ｂ  アーム部
３３  グランド体
３４  グランドパターン
３５  リモコン送信機
４０  電子機器
４１  表示画面
４１Ａ  入力部
４２、４２Ａ、４２Ｂ  キー
【図１】
2011171953.tif 000003
【図２】
2011171953.tif 000004
【図３】
2011171953.tif 000005
【図４】
2011171953.tif 000006
【図５】
2011171953.tif 000007
【図６】
2011171953.tif 000008
【図７】
2011171953.tif 000009
【図８】
2011171953.tif 000010